【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
スロットにおいて、チャネル状態情報(CSI)報告を送信するために前記UEに割り振られるアップリンク制御リソースを特定するステップと、
周波数帯域に対応する前記CSI報告の第1の複数のCSIフィードバックコンポーネントの値を計算するステップと、
前記UEに割り振られる前記アップリンク制御リソース、または前記第1の複数のCSIフィードバックコンポーネントの前記値、またはその両方に少なくとも一部基づいて、前記周波数帯域内の周波数サブバンドのサイズを決定するステップと、
前記周波数サブバンドに対応する前記CSI報告の第2の複数のCSIフィードバックコンポーネントの値を計算するステップと、
前記スロットの間に、前記アップリンク制御リソースを介して前記CSI報告を送信するステップと
を備える、方法。
【請求項２】
前記周波数サブバンドの前記サイズを示す構成シグナリングを受信するステップをさらに備え、前記周波数サブバンドの前記サイズを決定するステップが、前記受信された構成シグナリングに少なくとも一部基づく、請求項1に記載の方法。
【請求項３】
前記割り振られたアップリンクリソースと関連付けられる最大のサポートされるペイロードサイズを決定するステップをさらに備え、前記周波数サブバンドの前記サイズを決定するステップが、前記最大のサポートされるペイロードサイズに少なくとも一部基づく、請求項1に記載の方法。
【請求項４】
前記周波数サブバンドの前記サイズが、前記第1の複数のCSIフィードバックコンポーネントおよび前記第2の複数のCSIフィードバックコンポーネントの前記値を搬送するために使用されるビットの数に少なくとも一部基づいて決定される、請求項3に記載の方法。
【請求項５】
前記第1の複数のCSIフィードバックコンポーネントが、ランクインジケータ(RI)、CSI基準信号(CSI-RS)リソースインジケータ(CRI)、チャネル品質インジケータ(CQI)、またはこれらの任意の組合せを備える、請求項1に記載の方法。
【請求項６】
前記第2の複数のCSIフィードバックコンポーネントが、広帯域プリコーディング行列インジケータ(PMI)、狭帯域PMI、チャネル品質インジケータ(CQI)、またはこれらの任意の組合せを備える、請求項1に記載の方法。
【請求項７】
前記アップリンク制御リソースが、物理アップリンク制御チャネル(PUCCH)リソース、または物理アップリンク共有チャネル(PUSCH)リソース、またはその両方を備える、請求項1に記載の方法。
【請求項８】
ユーザ機器(UE)におけるワイヤレス通信のための方法であって、
チャネル状態情報(CSI)報告を送信するためのアップリンク制御リソースの割振りを受信するステップであって、前記CSI報告が複数のCSIフィードバックコンポーネントを備える、ステップと、
前記複数のCSIフィードバックコンポーネントを単一の符号化されたパケットへと符号化するステップであって、前記単一の符号化されたパケットが所定の数のビットを備える、ステップと、
単一のスロットの間に前記アップリンク制御リソースを介して前記単一の符号化されたパケットを送信するステップと
を備える、方法。
【請求項９】
基地局におけるワイヤレス通信のための方法であって、
ユーザ機器(UE)に、スロットにおいてチャネル状態情報(CSI)報告を送信するためのアップリンク制御リソースを割り振るステップであって、前記CSI報告が、周波数帯域に対応する第1の複数のCSIフィードバックコンポーネントと、前記周波数帯域内の周波数サブバンドに対応する第2の複数のCSIフィードバックコンポーネントとを備える、ステップと、
前記UEに、前記周波数サブバンドのサイズを示す構成シグナリングを送信するステップであって、前記周波数サブバンドの前記サイズが、前記UEに割り振られた前記アップリンク制御リソースに少なくとも一部基づく、ステップと、
前記スロットの間に、前記アップリンク制御リソースを介して前記CSI報告を受信するステップと
を備える、方法。
【請求項１０】
基地局におけるワイヤレス通信のための方法であって、
ユーザ機器(UE)に、スロットにおいてチャネル状態情報(CSI)報告を送信するためのアップリンク制御リソースを割り振るステップであって、前記CSI報告が複数のCSIフィードバックコンポーネントを備える、ステップと、
前記UEから、前記アップリンク制御リソースを介して、前記複数のCSIフィードバックコンポーネントを備える単一の符号化されたパケットを受信するステップであって、前記単一の符号化されたパケットが所定の数のビットを備える、ステップと、
前記単一の符号化されたパケットを復号するステップと
を備える、方法。
【請求項１１】
ワイヤレス通信のための装置であって、
スロットにおいて、チャネル状態情報(CSI)報告を送信するために前記装置に割り振られるアップリンク制御リソースを特定するための手段と、
周波数帯域に対応する前記CSI報告の第1の複数のCSIフィードバックコンポーネントの値を計算するための手段と、
前記装置に割り振られる前記アップリンク制御リソース、または前記第1の複数のCSIフィードバックコンポーネントの前記値、またはその両方に少なくとも一部基づいて、前記周波数帯域内の周波数サブバンドのサイズを決定するための手段と、
前記周波数サブバンドに対応する前記CSI報告の第2の複数のCSIフィードバックコンポーネントの値を計算するための手段と、
前記スロットの間に、前記アップリンク制御リソースを介して前記CSI報告を送信するための手段と
を備える、装置。
【請求項１２】
前記割り振られたアップリンクリソースと関連付けられる最大のサポートされるペイロードサイズを決定するための手段をさらに備え、前記周波数サブバンドの前記サイズを決定することが、前記最大のサポートされるペイロードサイズに少なくとも一部基づく、請求項11に記載の装置。
【請求項１３】
ワイヤレス通信のための装置であって、
チャネル状態情報(CSI)報告を送信するためのアップリンク制御リソースの割振りを受信するための手段であって、前記CSI報告が複数のCSIフィードバックコンポーネントを備える、手段と、
前記複数のCSIフィードバックコンポーネントを単一の符号化されたパケットへと符号化するための手段であって、前記単一の符号化されたパケットが所定の数のビットを備える、手段と、
単一のスロットの間に前記アップリンク制御リソースを介して前記単一の符号化されたパケットを送信するための手段と
を備える、装置。
【請求項１４】
ワイヤレス通信のための装置であって、
ユーザ機器(UE)に、スロットにおいてチャネル状態情報(CSI)報告を送信するためのアップリンク制御リソースを割り振るための手段であって、前記CSI報告が、周波数帯域に対応する第1の複数のCSIフィードバックコンポーネントと、前記周波数帯域内の周波数サブバンドに対応する第2の複数のCSIフィードバックコンポーネントとを備える、手段と、
前記UEに、前記周波数サブバンドのサイズを示す構成シグナリングを送信するための手段であって、前記周波数サブバンドの前記サイズが、前記UEに割り振られた前記アップリンク制御リソースに少なくとも一部基づく、手段と、
前記スロットの間に、前記アップリンク制御リソースを介して前記CSI報告を受信するための手段と
を備える、装置。
【請求項１５】
ワイヤレス通信のための装置であって、
ユーザ機器(UE)に、スロットにおいてチャネル状態情報(CSI)報告を送信するためのアップリンク制御リソースを割り振るための手段であって、前記CSI報告が複数のCSIフィードバックコンポーネントを備える、手段と、
前記UEから、前記アップリンク制御リソースを介して、前記複数のCSIフィードバックコンポーネントを備える単一の符号化されたパケットを受信するための手段であって、前記単一の符号化されたパケットが所定の数のビットを備える、手段と、
前記単一の符号化されたパケットを復号するための手段と
を備える、装置。